(57)【要約】  面状に並べられた複数の発光モジュールを備えた照明装置（１００Ａ）は、無線で信号を送信する送信機（５１）を有する発光モジュール（１０Ａ）と、無線で信号を受信する受信機（５２）を有する発光モジュール（１０Ｂ）とを含む。発光モジュール（１０Ａ，１０Ｂ）は、互いに隣り合うように配置され、送信機（５１）および受信機（５２）は、互いに対向するように配置されている。照明装置（１００Ａ）は、従来に比して薄くすることができる。
2015076170.tif 000002
【特許請求の範囲】
【請求項１】
面状に並べられた複数の発光モジュールを備えた照明装置であって、
無線で信号を送信する第１送信機を有する第１発光モジュールと、
無線で信号を受信する第１受信機を有する第２発光モジュールと、を含み、
前記第１発光モジュールおよび前記第２発光モジュールは、互いに隣り合うように配置され、
前記第１送信機および前記第１受信機は、互いに対向するように配置されている、
照明装置。
【請求項２】
前記第１発光モジュールは、無線で信号を受信する第２受信機をさらに有し、
前記第２発光モジュールは、無線で信号を送信する第２送信機をさらに有し、
前記第２受信機および前記第２送信機は、互いに対向するように配置されている、
請求項１に記載の照明装置。
【請求項３】
前記第１発光モジュールまたは前記第２発光モジュールは、無線で信号を送信する第３送信機を有しており、
前記第３送信機と対向し無線で信号を受信する第３受信機と、前記第１および前記第２発光モジュール以外の隣り合う発光モジュールからの無線信号を受信する第４受信機とを有し、前記第３送信機を有する前記第１発光モジュールまたは前記第２発光モジュールと隣り合う第３発光モジュールと、
前記第３送信機と前記第３受信機との間に設けられ、前記第３送信機から前記第３受信機への無線信号の送信を遮る遮蔽部材と、をさらに備える、
請求項１または２に記載の照明装置。
【請求項４】
前記第１発光モジュールまたは前記第２発光モジュールは、無線で信号を送信する第３送信機を有しており、
前記第３送信機と対向し無線で信号を受信する第３受信機と、無線で信号を送信する第４送信機とを有し、前記第３送信機を有する前記第１または前記第２発光モジュールと隣り合う第３発光モジュールと、
前記第４送信機と対向し無線で信号を受信する第４受信機と、前記第３発光モジュール以外の隣り合う発光モジュールからの無線信号を受信する第５受信機とを有し、前記第３発光モジュールと隣り合う第４発光モジュールと、
前記第４送信機と前記第４受信機との間に設けられ、前記第４送信機から前記第４受信機への無線信号の送信を遮る遮蔽部材と、をさらに備える、
請求項１または２に記載の照明装置。
【請求項５】
前記第１発光モジュールまたは前記第２発光モジュールは、無線で信号を送信する第３送信機を有しており、
前記第３送信機と対向し無線で信号を受信する第３受信機と、無線で信号を送信する第４送信機とを有し、前記第３送信機を有する前記第１または前記第２発光モジュールと隣り合う第３発光モジュールと、
前記第４送信機と対向し無線で信号を受信する第４受信機と、前記第３発光モジュール以外の隣り合う発光モジュールからの無線信号を受信する第５受信機とを有し、前記第３発光モジュールと隣り合う第４発光モジュールと、
前記第４送信機のＯＮ／ＯＦＦ動作、および、前記第４受信機のＯＮ／ＯＦＦ動作のうちの少なくとも一方の動作を切り替える切替手段と、をさらに備える、
請求項１または２に記載の照明装置。
【請求項６】
前記第１送信機は、赤外線を出射するＬＥＤを含む、
請求項１から５のいずれかに記載の照明装置。
【請求項７】
前記第１送信機は、ＯＬＥＤを含む、
請求項１から５のいずれかに記載の照明装置。
【請求項８】
前記第１送信機は、圧電素子を含む、
請求項１から５のいずれかに記載の照明装置。
【請求項９】
前記第１受信機は、フォトダイオードを含む、
請求項１から５のいずれかに記載の照明装置。
【請求項１０】
前記第１送信機は、前記第１発光モジュールの端面に隣接するように配置され、
前記第１受信機は、前記第２発光モジュールの端面に隣接するように配置される、
請求項１から９のいずれかに記載の照明装置。
【請求項１１】
隣り合う複数の前記発光モジュール間に、駆動電流を供給する配線部材をさらに備える、
請求項１から１０のいずれかに記載の照明装置。
【発明の詳細な説明】
【技術分野】
【０００１】
本発明は、面状に並べられた複数の発光モジュールを備える照明装置に関する。
【背景技術】
【０００２】
特開２００３−１５１３４１号公報（特許文献１）には、複数の照明装置を備える照明システムが開示されている。複数の照明装置は、天井面に取り付けられ、互いに隣り合って配置されている。これら複数の照明装置の各々には、制御信号を送信する赤外線送信部と、制御信号を受信する受信部とが設けられている。照明装置の赤外線送信部から出射された光は、床面で反射され、その照明装置に隣接する照明装置の受信部で受光される。
【先行技術文献】
【特許文献】
【０００３】
【特許文献１】特開２００３−１５１３４１号公報
【発明の概要】
【発明が解決しようとする課題】
【０００４】
特開２００３−１５１３４１号公報（特許文献１）では、複数の照明装置の間で行なわれる制御信号の送受信に関する技術が記載されており、照明装置同士は、比較的に遠くに離れて配置されている。一方で、複数の発光モジュールを備えた照明装置の中で、複数の発光モジュール同士を電気的に接続するために、コネクター（ハーネス）およびケーブルが用いられたとする。この場合、コネクターおよびケーブルの存在は、その照明装置の薄型化を難しくする一因となる。【０００５】
本発明は、薄型化を容易に図ることが可能な照明装置を提供することを目的とする。
【課題を解決するための手段】
【０００６】
本発明に基づく照明装置は、面状に並べられた複数の発光モジュールを備えた照明装置であって、無線で信号を送信する第１送信機を有する第１発光モジュールと、無線で信号を受信する第１受信機を有する第２発光モジュールと、を含み、上記第１発光モジュールおよび上記第２発光モジュールは、互いに隣り合うように配置され、上記第１送信機および上記第１受信機は、互いに対向するように配置されている。【０００７】
好ましくは、上記第１発光モジュールは、無線で信号を受信する第２受信機をさらに有し、上記第２発光モジュールは、無線で信号を送信する第２送信機をさらに有し、上記第２受信機および上記第２送信機は、互いに対向するように配置されている。【０００８】
好ましくは、上記第１発光モジュールまたは上記第２発光モジュールは、無線で信号を送信する第３送信機を有しており、上記第３送信機と対向し無線で信号を受信する第３受信機と、上記第１および上記第２発光モジュール以外の隣り合う発光モジュールからの無線信号を受信する第４受信機とを有し、上記第３送信機を有する上記第１発光モジュールまたは上記第２発光モジュールと隣り合う第３発光モジュールと、上記第３送信機と上記第３受信機との間に設けられ、上記第３送信機から上記第３受信機への無線信号の送信を遮る遮蔽部材と、をさらに備える。【０００９】
好ましくは、上記第１発光モジュールまたは上記第２発光モジュールは、無線で信号を送信する第３送信機を有しており、上記第３送信機と対向し無線で信号を受信する第３受信機と、無線で信号を送信する第４送信機とを有し、上記第３送信機を有する上記第１または上記第２発光モジュールと隣り合う第３発光モジュールと、上記第４送信機と対向し無線で信号を受信する第４受信機と、上記第３発光モジュール以外の隣り合う発光モジュールからの無線信号を受信する第５受信機とを有し、上記第３発光モジュールと隣り合う第４発光モジュールと、上記第４送信機と上記第４受信機との間に設けられ、上記第４送信機から上記第４受信機への無線信号の送信を遮る遮蔽部材と、をさらに備える。【００１０】
好ましくは、上記第１発光モジュールまたは上記第２発光モジュールは、無線で信号を送信する第３送信機を有しており、上記第３送信機と対向し無線で信号を受信する第３受信機と、無線で信号を送信する第４送信機とを有し、上記第３送信機を有する上記第１または上記第２発光モジュールと隣り合う第３発光モジュールと、上記第４送信機と対向し無線で信号を受信する第４受信機と、上記第３発光モジュール以外の隣り合う発光モジュールからの無線信号を受信する第５受信機とを有し、上記第３発光モジュールと隣り合う第４発光モジュールと、上記第４送信機のＯＮ／ＯＦＦ動作、および、上記第４受信機のＯＮ／ＯＦＦ動作のうちの少なくとも一方の動作を切り替える切替手段と、をさらに備える。【００１１】
好ましくは、上記第１送信機は、赤外線を出射するＬＥＤを含む。好ましくは、上記第１送信機は、ＯＬＥＤを含む。好ましくは、上記第１送信機は、圧電素子を含む。好ましくは、上記第１受信機は、フォトダイオードを含む。好ましくは、上記第１送信機は、上記第１発光モジュールの端面に隣接するように配置され、上記第１受信機は、上記第２発光モジュールの端面に隣接するように配置される。好ましくは、隣り合う複数の前記発光モジュール間に、駆動電流を供給する配線部材をさらに備える。
【発明の効果】
【００１２】
上記の構成によれば、隣り合う発光モジュール間を信号が無線で送受信されるため、コネクターおよびケーブル等を用いて信号を送受信する場合に比べて照明装置の薄型化を図りやすい。
【図面の簡単な説明】
【００１３】
【図１】関連技術における照明装置を示す平面図である。
【図２】関連技術における照明装置に備えられる発光モジュールを示す平面図である。
【図３】図２中のＩＩＩ−ＩＩＩ線に沿った矢視断面図である。
【図４】実施の形態１における照明装置を示す平面図である。
【図５】図４中のＶ−Ｖ線に沿った矢視断面図である。
【図６】実施の形態１における照明装置の電気的な構成および動作を示すブロック図である。
【図７】実施の形態１における照明装置の駆動例を示すブロック図である。
【図８】実施の形態１における照明装置の駆動例に用いられる電流の波形を示す図である。
【図９】実施の形態２における照明装置を示す平面図である。
【図１０】実施の形態２における照明装置の電気的な構成および動作を示すブロック図である。
【図１１】実施の形態３における照明装置を示す平面図である。
【図１２】実施の形態４における照明装置を示す平面図である。
【発明を実施するための形態】
【００１４】
［関連技術］
実施の形態について説明する前に、本発明の関連技術について、図１〜図３を参照しながら説明する。同一の部品および相当部品に対しては、同一の参照番号を付し、重複する説明は繰り返さない場合がある。
【００１５】
図１は、関連技術における照明装置１００を示す平面図である。図１は、照明装置１００の背面側（発光面１６（図３）とは反対側）から照明装置１００を見た時の様子を示している。照明装置１００は、面状に並べられた複数の発光モジュール１０Ａ〜１０Ｆと、発光モジュール１０Ａ〜１０Ｆを電気的に接続する配線ケーブル２０とを備える。
【００１６】
図２は、発光モジュール１０Ａを示す平面図である。図２は、発光モジュール１０Ａの背面側（発光面１６（図３）とは反対側）から発光モジュール１０Ａを見た時の様子を示している。図３は、図２中のＩＩＩ−ＩＩＩ線に沿った矢視断面図である。発光モジュール１０Ａ〜１０Ｆは、同一の構成を有しているため、ここでは発光モジュール１０Ａについてのみ説明する。
【００１７】
図２および図３に示すように、発光モジュール１０Ａは、４枚の発光パネル１０と、保持板１１と、基板１２とを含む。保持板１１は、表面および裏面を有する。４枚の発光パネル１０は、保持板１１の表面上に配置される。図１および図２の中では、保持板１１の表面上に配置された発光パネル１０は、点線を用いて図示されている。
【００１８】
基板１２は、保持板１１の裏面上に配置される。基板１２上には、４つのコネクター１３と、２つのコネクター１４と、制御部１５とが設けられている。基板１２の周りには、配線ＰＣＢ２１，２２（ＰＣＢ：Printed  Circuit  Board）が設けられている。配線ＰＣＢ２１，２２は、いずれも平面視Ｌ字状の形状を有しており、各々の端部同士が対向し、保持板１１の裏面上で発光パネル１０の外周に沿うように略正方形状に配置される（図２参照）。
【００１９】
発光パネル１０の外周には、電極取出部４１，４２（図３）が設けられている。電極取出部４１上には、電極部材３１が設けられている。電極取出部４２上には、電極部材３２が設けられている。電極部材３１，３２は、側面視においてＴ字形状を有している。電極部材３１，３２の先端部は、保持板１１に設けられた貫通穴に挿通され、さらに、基板１２上に設けられた配線ＰＣＢ２１，２２から突出している。電極部材３１，３２の突出先端は、それぞれ、銀ペースト３５，３６により配線ＰＣＢ２１，２２に電気的に接続されている。
【００２０】
各発光モジュールのコネクター１３には、発光モジュール間を接続する配線ケーブル２０（図１参照）が取り付けられる。配線ケーブル２０を通して、駆動電流および制御信号の送受信が行なわれる。発光モジュール１０Ａのコネクター１３には、発光モジュール１０Ａ〜１０Ｆに駆動電流および制御信号を供給するための外部ケーブル５０（図１参照）も取り付けられる。
【００２１】
コネクター１４には、陽極用の配線材２３（図２）および陰極用の配線材２４（図２）が接続される。配線材２３，２４は、配線ＰＣＢ２１，２２および電極部材３１，３２を通して、発光パネル１０に電気的に接続される。外部（外部ケーブル５０）からの駆動電力および制御信号は、コネクター１３，１４、配線ＰＣＢ２１，２２、配線材２３，２４、および電極部材３１，３２を通して、４枚の発光パネル１０に供給される。
【００２２】
以上のように構成される照明装置１００においては、配線ケーブル２０およびコネクター１３などを通して、各発光モジュールの発光パネル１０に駆動電流および制御信号が供給される。計２４枚の発光パネル１０で生成された光は、各々の発光面１６（図３）から外部に取り出される。
【００２３】
ここで、配線ケーブル２０とコネクター１３とを接続するために、コネクター１３は所定の厚さを有している必要がある。配線ケーブル２０とコネクター１３との間には、防水性を求められる場合がある。この場合、コネクター１３を含むモジュール全体の防水構造を実現するためには、たとえば１０ｍｍ程度の厚さが必要となる。すなわち、照明装置１００においては、配線ケーブル２０およびコネクター１３の存在は、照明装置１００の薄型化を難しくする一因となっている。
【００２４】
［実施の形態］
実施の形態について、以下、図面を参照しながら説明する。個数および量などに言及する場合、特に記載がある場合を除き、本発明の範囲は必ずしもその個数およびその量などに限定されない。同一の部品および相当部品に対しては、同一の参照番号を付し、重複する説明は繰り返さない場合がある。
【００２５】
［実施の形態１］
図４は、実施の形態１における照明装置１００Ａを示す平面図である。図４は、照明装置１００Ａの背面側（発光面とは反対側）から照明装置１００Ａを見た時の様子を示している。図５は、図４中のＶ−Ｖ線に沿った矢視断面図である。図４および図５に示すように、照明装置１００Ａは、面状に並べられた複数の発光モジュール１０Ａ〜１０Ｃと、発光モジュール１０Ａ〜１０Ｃを電気的に接続する電力供給用のＦＰＣ２５（ＦＰＣ：Flexible  Printed  Circuits）とを備える。
【００２６】
発光モジュール１０Ａ〜１０Ｃは、同一の構成を有しているため、ここでは発光モジュール１０Ａについてのみ説明する。発光モジュール１０Ａは、４枚の発光パネル１０と、保持板１１と、基板１２と、送信機５１と、受信機５２とを含む。発光パネル１０は、有機ＥＬ（Organic  Electroluminecense）素子から構成される。発光パネル１０は、複数の発光ダイオード（ＬＥＤ：Light  Emitting  Diode）と拡散板とから構成されていてもよいし、冷陰極管等を用いて構成されていてもよい。
【００２７】
保持板１１は、表面および裏面を有する。４枚の発光パネル１０は、保持板１１の表面上に配置される。図４の中では、保持板１１の表面上に配置された発光パネル１０は、点線を用いて図示されている。保持板１１の厚さは、たとえば１ｍｍである。保持板１１は、アルミニウム（ＡＬ）またはＳＵＳ（Steel  Use  Stainless）等の金属材料から構成されてもよいし、樹脂材料から構成されてもよい。４枚の発光パネル１０は、図示しない両面テープ等を用いて保持板１１の表面にそれぞれ取り付けられる。
【００２８】
基板１２は、保持板１１の裏面上に配置される。基板１２上には、制御部１５と、２つの電極１８とが設けられている。発光モジュール１０Ａに設けられた基板１２上には、外部ケーブル５０を接続するためのコネクター１３も設けられている。基板１２の周りには、基板１２上の制御部１５から４枚の発光パネル１０に駆動電力および制御信号を供給するための図示しない配線ＰＣＢおよび配線材などが設けられている。
【００２９】
電極１８は、基板１２上に形成された配線パターン（いわゆるランド）であり、その表面に電力供給用のＦＰＣ２５が接続されている。配線部材としてのＦＰＣ２５は、駆動電力の供給に用いられる部材であり、上述の関連技術における配線ケーブル２０の厚さに比べて薄い。電極１８とＦＰＣ２５とにより形成される接続部分の厚さは、上述の関連技術におけるコネクター１３と配線ケーブル２０とにより形成される接続部分の厚さに比べて薄い。
【００３０】
送信機５１および受信機５２は、保持板１１の裏面上に設けられ、発光モジュール１０Ａの端面に隣接するように配置されている。より具体的には、送信機５１および受信機５２は、保持板１１の４辺のうちの互いに対向する２辺にそれぞれ沿うように、互いに離間して配置されている。
【００３１】
送信機５１は、無線で制御信号を送信することができるものであり、たとえば制御信号を含む赤外線を出射可能なＬＥＤ、制御信号を含む光を出射可能なＯＬＥＤ（Organic  Light-Emitting  Diode）、若しくは、制御信号を含む超音波を出射可能な圧電素子などから構成される。受信機５２は、無線で制御信号を受信することができるものであり、たとえばフォトダイオード（ＰＤ：Photodiode）または超音波センサなどから構成される。
【００３２】
互いに隣り合うように配置された発光モジュール１０Ａ，１０Ｂについて、発光モジュール１０Ａ（第１発光モジュール）の送信機５１（第１送信機）と、発光モジュール１０Ｂ（第２発光モジュール）の受信機５２（第１受信機）とは、間隔を空けて互いに対向するように配置されている。同様に、互いに隣り合うように配置された発光モジュール１０Ｂ，１０Ｃについても、発光モジュール１０Ｂの送信機５１と、発光モジュール１０Ｃの受信機５２とは、間隔を空けて互いに対向するように配置されている。
【００３３】
図６は、照明装置１００Ａの電気的な構成および動作を示すブロック図である。外部ケーブル５０（図４）から供給された制御信号は、発光モジュール１０ＡのＣＰＵ１５Ａに入力される。ＣＰＵ１５Ａは、制御信号に応じてドライバー回路１５Ｂを制御する。ドライバー回路１５Ｂは、外部ケーブル５０（図４）を通して供給された駆動電力を制御信号に応じた形に変換して、各発光パネル１０に供給する。各発光パネル１０は、制御信号に応じて、発光したり、消灯したり、点滅したり、輝度が調整されたりすることが可能となる。
【００３４】
制御信号に応じて、発光モジュール１０Ａの送信機５１も駆動制御される。制御信号に応じた情報が、発光モジュール１０Ａの送信機５１から発光モジュール１０Ｂの受信機５２に送信される。発光モジュール１０ＢのＣＰＵ１５Ａは、受信機５２を通して受け取った制御信号に応じてドライバー回路１５Ｂを制御する。ドライバー回路１５Ｂは、ＦＰＣ２５（図４）を通して供給された駆動電力を制御信号に応じた形に変換して、各発光パネル１０に供給する。発光モジュール１０Ａの各発光パネル１０と同様に、発光モジュール１０Ｂ，１０Ｃの各発光パネル１０も、制御信号に応じて、発光したり、消灯したり、点滅したり、輝度が調整されたりすることが可能となる。
【００３５】
図７および図８を参照して、ＰＷＭ信号を含む制御信号を用いることにより、容易に発光パネル１０の輝度調整を行うことができる。輝度は、図８中で示されるｄｕｔｙ値（Ａ／Ｂの値）に応じて調整される。たとえば、発光モジュール１０間で信号を送受信するに際して、送信機５１からのＰＷＭ信号を受信機５２で受信して、制御部１５は、受信した信号そのままを用いて発光パネル１０に対してＰＷＭ制御を行う。若しくは、ＰＷＭ信号の遅延を考慮する場合、その遅延の補正を行う波形整形回路（図示せず）を介して制御部１５が発光パネル１０に対してＰＷＭ制御を行ってもよい。ｄｕｔｙ値を０％に設定した場合には、発光パネル１０を消灯させることも可能である。
【００３６】
上述の関連技術における照明装置１００では、駆動電力の供給だけでなく、制御信号の送信をも配線ケーブル２０を用いて行なわれる。配線ケーブル２０を用いるためには、各発光モジュールにコネクター１３を設けることが必要となる。このコネクター１３と配線ケーブル２０との防水性を確保するためには、たとえば１０ｍｍ程度の厚さが必要となる。
【００３７】
これに対して本実施の形態における照明装置１００Ａは、互いに対向配置された送信機５１および受信機５２によって制御信号が送受信される。駆動電力の供給のみ、ＦＰＣ２５を用いて行なわれる。電極１８とＦＰＣ２５とにより形成される接続部分の厚さは、上述の関連技術におけるコネクター１３と配線ケーブル２０とにより形成される接続部分の厚さに比べて容易に薄くできる。たとえば、電極１８とＦＰＣ２５との防水性は、たとえば１ｍｍ〜２ｍｍ程度の厚さで実現できる。したがって照明装置１００Ａによれば、全体の薄型化および防水性の確保を容易に実現することができる。好ましくは、他の送信機５１および他の受信機５２間で行なわれる信号の影響を受けないようにするためにも、送信機５１のＬＥＤの光量や、受信機５２のＰＤの感度を比較的通信距離の短い値に設定するとよい。
【００３８】
本実施の形態では、製造上の効率を考慮して、信号の送受信に使用されない受信機５２が発光モジュール１０Ａに搭載され、信号の送受信に使用されない送信機５１が発光モジュール１０Ｃに搭載されている。これらの機器は、製造上の効率や製品価格等に基づいて、必要に応じて搭載することが好ましい。
【００３９】
［実施の形態２］
図９および図１０を参照して、実施の形態２における照明装置１００Ｂについて説明する。ここでは、上述の実施の形態１との相違点について説明し、重複する説明は繰り返さないものとする。照明装置１００Ｂに用いられる発光モジュール１０Ａ〜１０Ｃは、送信機５３および受信機５４をさらに備えている。
【００４０】
互いに隣り合うように配置された発光モジュール１０Ａ，１０Ｂについて、発光モジュール１０Ａ（第１発光モジュール）の受信機５４（第２受信機）と、発光モジュール１０Ｂ（第２発光モジュール）の送信機５３（第２送信機）とは、間隔を空けて互いに対向するように配置されている。同様に、互いに隣り合うように配置された発光モジュール１０Ｂ，１０Ｃについても、発光モジュール１０Ｂの受信機５４と、発光モジュール１０Ｃの送信機５３とは、間隔を空けて互いに対向するように配置されている。
【００４１】
送信機５１および受信機５２は、発光、消灯、点滅または輝度調整などの情報を含む制御信号の送受信に用いられる。本実施の形態の制御部１５は、発光パネル１０の発光状態や、発光モジュール内で発生した各種のエラーなどを判断可能に構成されている。送信機５３および受信機５４は、制御部１５が判断した情報を含む信号を外部の主制御部などに送信するために用いられる。当該構成によれば、球切れ、寿命切れなどの各種のモジュール故障や、送信機５１および受信機５２の間の通信不良などを検知することが可能となる。
【００４２】
［実施の形態３］
図１１を参照して、実施の形態３における照明装置１００Ｃについて説明する。ここでは、上述の実施の形態１との相違点について説明し、重複する説明は繰り返さないものとする。照明装置１００Ｃは、２行×４列に配置された発光モジュール１０Ａ〜１０Ｈを備えている。発光モジュール１０Ａ〜１０Ｈの各々は、２つの送信機５１と２つの受信機５２と、図示しない基板などとを備えている。
【００４３】
２つの送信機５１は、保持板１１の４辺のうちの互いに隣り合う２辺にそれぞれ沿うように配置されている。２つの受信機５２は、保持板１１の４辺のうちの互いに隣り合う他の２辺にそれぞれ沿うように配置されている。説明上の便宜のため、送信機５１には右肩上がりのハッチングを付しており、受信機５２には右肩下がりのハッチングを付している。
【００４４】
外部から供給された制御信号は、発光モジュール１０Ａを通して発光モジュール１０Ｂ，１０Ｅに供給される。発光モジュール１０Ｂに供給された制御信号は、発光モジュール１０Ｃ，１０Ｆに供給される。発光モジュール１０Ｃに供給された制御信号は、発光モジュール１０Ｄ，１０Ｇに供給される。発光モジュール１０Ｄに供給された制御信号は、発光モジュール１０Ｈに供給される。
【００４５】
互いに隣り合うように配置された発光モジュール１０Ａ，１０Ｅについて、発光モジュール１０Ａの発光モジュール１０Ｅの側に位置する送信機５１（５１ａ）、換言すると、発光モジュール１０Ａから発光モジュール１０Ｅの受信機５２（５２ａ）に無線で信号を送信する発光モジュール１０Ａの送信機５１（５１ａ）は、第３送信機として機能している。この送信機５１（５１ａ）に対向し、この送信機５１（５１ａ）から無線で信号を受信する発光モジュール１０Ｅの受信機５２（５２ａ）は、第３受信機として機能している。
【００４６】
互いに隣り合うように配置された発光モジュール１０Ｂ，１０Ｆについて、発光モジュール１０Ｂの発光モジュール１０Ｆの側に位置する送信機５１（５１ｂ）、換言すると、発光モジュール１０Ｂから発光モジュール１０Ｆの受信機５２（５２ｂ）に無線で信号を送信する発光モジュール１０Ｂの送信機５１（５１ｂ）は、第５送信機として機能している。この送信機５１（５１ｂ）に対向し、この送信機５１（５１ｂ）から無線で信号を受信する発光モジュール１０Ｆの受信機５２（５２ｂ）は、第５受信機として機能している。発光モジュール１０Ｂは、発光モジュール１０Ｅ（第３発光モジュール）以外の発光モジュール１０Ｆに隣り合う発光モジュールとして機能している。
【００４７】
ここで、互いに隣り合うように配置された発光モジュール１０Ｅ，１０Ｆについて、発光モジュール１０Ｅ（第３発光モジュール）の送信機５１（５１ｃ）（第４送信機）と、発光モジュール１０Ｆ（第４発光モジュール）の受信機５２（５２ｃ）（第４受信機）とは、間隔を空けて互いに対向するように配置されている。同様に、互いに隣り合うように配置された発光モジュール１０Ｆ，１０Ｇについても、発光モジュール１０Ｆの送信機５１と、発光モジュール１０Ｇの受信機５２とは、間隔を空けて互いに対向するように配置されている。同様に、互いに隣り合うように配置された発光モジュール１０Ｇ，１０Ｈについても、発光モジュール１０Ｇの送信機５１と、発光モジュール１０Ｈの受信機５２とは、間隔を空けて互いに対向するように配置されている。
【００４８】
これらの互いに対向する送信機５１（５１ｃ）および受信機５２（５２ｃ）の間には、送信機５１から受信機５２への無線信号の送信を遮る遮蔽部材６０が設けられている。遮蔽部材６０によれば、制御信号が混信してしまうことを抑制または防止できる。たとえば、送信機５１のＬＥＤから赤外線等が出射される場合、遮蔽部材６０は高い遮光性を有しているとよい。制御信号が混信してしまうことを抑制または防止するためには、このような対策に限られず、上述の実施の形態１でも述べたように、送信機５１のＬＥＤの光量や、受信機５２のＰＤの感度を比較的通信距離の短い値に設定するとよい。
【００４９】
遮蔽部材６０を用いる代わりに、これらの互いに対向する送信機５１（５１ｃ）および受信機５２（５２ｃ）のＯＮ／ＯＦＦ動作を、切替手段としての制御部１５（図示せず）が切り替えるようにしても良い。たとえば、発光モジュール１０Ｅに設けられた制御部が、発光モジュール１０Ｆの側に配置された送信機５１の動作機能を電気的（スイッチングなど）または制御的（プログラム制御など）な手段によって無効化することにより、上記と同様の効果を得ることができる。発光モジュール１０Ｆに設けられた制御部が、発光モジュール１０Ｅの側に配置された受信機５２の動作機能を電気的または制御的な手段によって無効化してもよい。好ましくは、これらの互いに対向する送信機５１および受信機５２の双方が無効化されるとよい。
【００５０】
上記のような構成に限られず、発光モジュール１０Ｆが第３発光モジュールとして機能し、発光モジュール１０Ｇが第４発光モジュールとして機能していてもよい。この場合、発光モジュール１０Ｂと発光モジュール１０Ｆとの間で信号を送受信する送信機５１（５１ｂ）および受信機５２（５２ｂ）が第３送信機および第３受信機としてそれぞれ機能する。発光モジュール１０Ｆと発光モジュール１０Ｇとが相互に対抗している部分に配置された送信機５１および受信機５２は、第４送信機および第４受信機としてそれぞれ機能する。発光モジュール１０Ｃが、発光モジュール１０Ｆ（第３発光モジュール）以外の発光モジュール１０Ｇに隣り合う発光モジュールとして機能する。発光モジュール１０Ｃと発光モジュール１０Ｇとが相互に対抗している部分に配置された送信機５１および受信機５２は、第５送信機および第５受信機としてそれぞれ機能する。
【００５１】
本実施の形態では、２行×４列に配置された発光モジュール１０Ａ〜１０Ｈにおいて、１行目に配置された発光モジュール１０Ａから発光モジュール１０Ｄまで紙面横方向に制御信号が順次送信され、上記モジュールの夫々から２行目に配置された発光モジュールへ（例えば、発光モジュール１０Ａから発光モジュール１０Ｅへ、発光モジュール１０Ｂから発光モジュール１０Ｆへ、紙面縦方向に）制御信号が送られる。一方、遮蔽部材６０を、発光モジュール１０Ｂと発光モジュール１０Ｆとの間、発光モジュール１０Ｃと発光モジュール１０Ｇとの間、発光モジュール１０Ｄと発光モジュール１０Ｈとの間に配置した場合、発光モジュール１０Ａから発光モジュール１０Ｅに送信された制御信号は、発光モジュール１０Ｆ、発光モジュール１０Ｇ、発光モジュール１０Ｈまで順次送信される。あるいは、遮蔽部材６０を、発光モジュール１０Ａと発光モジュール１０Ｂとの間、発光モジュール１０Ｆと発光モジュール１０Ｇとの間、発光モジュール１０Ｃと発光モジュール１０Ｄとの間に配置してもよい。
【００５２】
［実施の形態４］
図１２を参照して、実施の形態４における照明装置１００Ｄについて説明する。ここでは、上述の実施の形態１〜３との相違点について説明し、重複する説明は繰り返さないものとする。照明装置１００Ｄは、上述の実施の形態２および実施の形態３を組み合わせたものに相当している。照明装置１００Ｄは、２行×３列に配置された発光モジュール１０Ａ〜１０Ｆを備えている。発光モジュール１０Ａ〜１０Ｆの各々は、４つの送信機５１ａ〜５１ｄと４つの受信機５２ａ〜５２ｄと、図示しない基板などとを備えている。
【００５３】
互いに隣り合うように配置された発光モジュール１０Ａ（第１発光モジュール）および発光モジュール１０Ｂ（第２発光モジュール）については、送信機５１ａ（第１送信機）と受信機５２ｃ（第１受信機）とが互いに対向し、受信機５２ａ（第２受信機）と送信機５１ｃ（第２送信機）とが互いに対向している。
【００５４】
互いに隣り合うように配置された発光モジュール１０Ａ（第１発光モジュール）および発光モジュール１０Ｄ（第３発光モジュール）については、送信機５１ｂ（第３送信機）と受信機５２ｄ（第３受信機）とが互いに対向し、受信機５２ｂと送信機５１ｄとが互いに対向している。発光モジュール１０Ｄの送信機５１ａは、第４送信機として機能する。
【００５５】
互いに隣り合うように配置された発光モジュール１０Ｄ（第３発光モジュール）および発光モジュール１０Ｅ（第４発光モジュール）については、送信機５１ａ（第４送信機）と受信機５２ｃ（第４受信機）とが互いに対向し、受信機５２ａと送信機５１ｃとが互いに対向している。
【００５６】
互いに隣り合うように配置された発光モジュール１０Ｂ（第２発光モジュール）および発光モジュール１０Ｅ（第４発光モジュール）については、送信機５１ｂ（第５送信機）と受信機５２ｄ（第５受信機）とが互いに対向し、受信機５２ｂと送信機５１ｄとが互いに対向している。発光モジュール１０Ｂが、発光モジュール１０Ｄ（第３発光モジュール）以外の発光モジュール１０Ｅに隣り合う発光モジュールとして機能している。
【００５７】
以上のように構成される照明装置１００Ｄによれば、上述の実施の形態１〜３のそれぞれの作用および効果を得ることができる。
【００５８】
以上、本発明に基づいた各実施の形態について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【００５９】
１０  発光パネル、１０Ａ〜１０Ｈ  発光モジュール、１１  保持板、１２  基板、１３，１４  コネクター、１５  制御部、１５Ｂ  ドライバー回路、１６  発光面、１８  電極、２０  配線ケーブル、２１，２２  配線ＰＣＢ、２３，２４  配線材、３１，３２  電極部材、３５，３６  銀ペースト、４１，４２  電極取出部、５０  外部ケーブル、５１，５１ａ〜５１ｄ，５３  送信機、５２，５２ａ〜５２ｄ，５４  受信機、６０  遮蔽部材、１００，１００Ａ，１００Ｂ，１００Ｃ，１００Ｄ  照明装置。
【図１】
2015076170.tif 000003
【図２】
2015076170.tif 000004
【図３】
2015076170.tif 000005
【図４】
2015076170.tif 000006
【図５】
2015076170.tif 000007
【図６】
2015076170.tif 000008
【図７】
2015076170.tif 000009
【図８】
2015076170.tif 000010
【図９】
2015076170.tif 000011
【図１０】
2015076170.tif 000012
【図１１】
2015076170.tif 000013
【図１２】
2015076170.tif 000014
【国際調査報告】
2015076170.tif 000015
2015076170.tif 000016
2015076170.tif 000017
2015076170.tif 000018